(57)【特許請求の範囲】
【請求項１】
液晶表示素子と、前記液晶表示素子の一面側に配置されるバックライトを備える液晶表示装置において、前記バックライトは、並列接続された複数本の冷陰極放電管を配置した発光部と前記発光部で得られた発光を前記液晶表示素子に導く導電板を備え、前記複数本の冷陰極放電管の接地側リード部の接続に導電接続板を用い、この導電接続板に前記各接地側リード部を挿入して半田付けする複数のリード部接続孔を有し、前記導電接続板により前記複数本の冷陰極放電管が所定の間隔で配置され、前記複数本の冷陰極放電管が前記導電接続板自体により電気的に接続され、かつ、所定の間隔に保持されることを特徴とする液晶表示装置。
【請求項２】
前記導電接続板は、その一面の複数個の端子接続孔の周囲に凹部が設けられたものであることを特徴とする請求項１に記載の液晶表示装置。
【請求項３】
液晶表示素子と、前記液晶表示素子の一面側に配置されるバックライトを備える液晶表示装置において、前記バックライトは、並列接続された複数本の冷陰極放電管を配置した発光部と前記発光部で得られた発光を前記液晶表示素子に導くように、前記液晶表示素子の一面に対向して配置された反射板とを備え、前記複数本の冷陰極放電管の接地側リード部の接続に導電接続板を用い、この導電接続板に前記各接地側リード部を挿入して半田付けする複数のリード部接続孔を有し、前記導電接続板により前記複数本の冷陰極放電管が所定の間隔で配置され、前記複数本の冷陰極放電管が導電接続板自体により電気的に接続され、かつ、所定の間隔に保持されることを特徴とする液晶表示装置。
【発明の詳細な説明】
【０００１】
【発明の属する技術分野】
本発明は、液晶表示装置に係わり、特に、液晶表示素子を一面から照射するバックライトを備え、バックライトに並列接続された複数本の冷陰極放電管を用いる液晶表示装置に関する。
【０００２】
【従来の技術】
従来、バックライト付の液晶表示装置は、液晶表示を行う液晶表示素子と、液晶表示素子の一面に結合配置され、液晶表示素子を照射するバックライトとを備えている。この場合、液晶表示素子は、少なくとも、第１透明基板と、第２透明基板と、第１透明基板及び第２透明基板間に封止される液晶層とを有し、第１透明基板上及び／または第２透明基板上には各種の電極や誘電体層、カラーフィルタ層等が形成配置されている。また、バックライトは、少なくとも、１本以上の冷陰極放電管等を有する発光部と、発光部から放射される発光を液晶表示素子内に伝達する導光板とを備えている。
【０００３】
ここで、図４は、既知のバックライト付の液晶表示装置の構成の一例を示す断面図である。
【０００４】
図４において、４１は液晶表示素子、４２はバックライト、４３は拡散板であり、液晶表示素子４１の一面に拡散板４３を介してバックライト４２を結合配置したものである。この場合、液晶表示素子４１の構成は、よく知られているので、その図示を省略しれいる。また、バックライト４２は、並列配置された２本の冷陰極放電管４４1 、４４2 を備える発光部４４と、アクリル樹脂等の透明材料からなる導光板４５と、第１反射板４６Ｂと、第２反射板４６Ｓとを備えている。２本の冷陰極放電管４４1 、４４2 は、導光板４５の底面に設けられた溝部に入るように配置され、第１反射板４６Ｂは、導光板４５の底面に配置され、第２反射板４６Ｓは、導光板４５の側面に配置されている。
【０００５】
前記既知の液晶表示装置において、２本の冷陰極放電管４４1 、４４2 から放射された光は、直接にまたは第１反射板４６Ｂで反射した後で導光板４５の底面側から導光板４５内に入射され、導光板４５内を通って導光板４５の上面側から出射される。次いで、導光板４５からの出射光は、拡散板４３で十分に拡散され、均一な照射光に変換された後、液晶表示素子４１に入射され、液晶表示素子４１を照射する。このとき、液晶表示素子４１で得られた表示画像は、照射光の印加によって高いコントラストの表示画像になる。
【０００６】
ところで、前記既知の液晶表示装置におけるバックライト４２には、２本の冷陰極放電管４４1 、４４2 が用いられ、それらを駆動電源に対して並列接続する必要があり、駆動電源と２本の冷陰極放電管４４1 、４４2 との接続のために電力供給ケーブルが用いられる。
【０００７】
図５は、前記既知の液晶表示装置において、２本の冷陰極放電管と電力供給ケーブルとの接続部分の構成の一例を示す構成図であって、２本の冷陰極放電管と電力供給ケーブルとの接続部分における一方の側だけを示したものである。
【０００８】
図５において、４７は電力供給ケーブル、４８1 は冷陰極放電管４４1 のリード線、４８2 は冷陰極放電管４４2 のリード線、４９は半田接続部であり、その他、図４に示された構成要素と同じ構成要素については同じ符号を付けている。
【０００９】
図５に示されるように、冷陰極放電管４４1 のリード線４８1 、冷陰極放電管４４2 のリード線４８2 、それに電力供給ケーブル４７の露出部との接続は、２本の冷陰極放電管４４1 、４４2 の配置間隔を所定値にした状態で、冷陰極放電管４４1 のリード線４８1 を一方方向に折り曲げるとともに、冷陰極放電管４４2 のリード線４８2 を他方方向に折り曲げ、リード線４８1 とリード線４８2 の各先端部が接触するようにし、両リード線４８1 、４８2 の各先端部が接触した部分に電力供給ケーブル４７の露出部をさらに接触させ、この状態で接触した３者の半田付けを行ない、半田接続部４９を形成するようにしている。
【００１０】
【発明が解決しようとする課題】
前記既知の液晶表示装置においては、バックライト４２の２本の冷陰極放電管４４1 、４４2 と電力供給ケーブル４７とを接続する際に、冷陰極放電管４４1 のリード線４８1 及び冷陰極放電管４４2 のリード線４８2 をそれぞれ折り曲げ、折り曲げた両リード線４８1 、４８2 の先端部と電力供給ケーブル４７の露出部とを半田付けした半田接続部４９を形成し、２本の冷陰極放電管４４1 、４４2 と電力供給ケーブル４７との接続が行われるものであるが、バックライト４２に用いられる冷陰極放電管の中には、接地（コールド）側に折り曲げ可能なリード線が設けられておらず、代わりに折り曲げできない短いリード端が設けられているものがある。
【００１１】
このように短いリード端を有する２本の冷陰極放電管を用いてバックライト４２を構成する場合には、電力供給ケーブル４７の接続時に２本の冷陰極放電管の配置間隔が所定値になるように維持することが難しいものである。
【００１２】
本発明は、このような技術的背景に鑑みてなされたもので、その目的は、バックライトに用いる冷陰極放電管の種類に係りなく、複数本の冷陰極放電管の配置間隔が所定値を維持できる状態で相互接続することが可能な液晶表示装置を提供することにある。
【００１３】
【課題を解決するための手段】
前記目的を達成するために、本発明に係る液晶表示装置は、液晶表示素子と、液晶表示素子の一面に結合配置されるバックライトとを備えるものであって、バックライトは、並列接続された複数本の冷陰極放電管を配置した発光部と発光部で得られた発光を液晶表示素子に導く導光板とを備え、複数本の冷陰極放電管の接地側リード部の接続に導電接続板を用い、この導電接続板に各接地側リード部を挿入して半田付けする複数個のリード部接続孔を有する構成を備えたものである。
【００１４】
前記構成によれば、複数本の冷陰極放電管の接地側リード部を接続する際に、複数個のリード部接続孔を有する導電接続板を用い、冷陰極放電管の種類に係りなく各接地側リード部を対応するリード部接続孔に挿入するだけで、複数本の冷陰極放電管の配置間隔が所定値になるので、いちいち各冷陰極放電管の配置間隔を気にすることなく半田付けを行なうことが可能になり、しかも、接地側リード部の接続部分の占有領域を低減してバックライトのコンパクト化を達成することができる。
【００１５】
【発明の実施の形態】
以下、本発明の実施の形態を図面を参照して説明する。
【００１６】
図１は、本発明に係わる液晶表示装置の一つの実施の形態の要部構成を示す斜視図、図２は、図１に図示された要部構成の断面構成図、図３は、図１に図示された要部構成に用いられる導電接続板を示す斜視図であって、バックライトにおける２本の冷陰極放電管の接地側リード部と電力供給ケーブルとの接続部分の構成を示すものである。
【００１７】
図１乃至図３において、１1 は第１冷陰極放電管、１2 は第２冷陰極放電管、２1 は第１冷陰極放電管の接地側リード部、２2 は第２冷陰極放電管の接地側リード部、３は電力供給ケーブル、４は導電接続板、４1 は第１リード部接続孔、４2 は第２リード部接続孔、５1 、５2 は半田接続部である。
【００１８】
ここで、第１冷陰極放電管１1 と第２冷陰極放電管１2 は、接地側リード部２1 、２2 として折り曲げができない短いリード端を有する種類のものである。また、導電接続板４は、第１リード部接続孔４1 と第２リード部接続孔４2 との各中心の間隔が第１冷陰極放電管１1 と第２冷陰極放電管１2 との配置間隔にほぼ等しくなるように、第１冷陰極放電管１1 と第２冷陰極放電管１2 の形成位置が選択され、かつ、第１リード部接続孔４1 及び第２リード部接続孔４2 の孔径がそれぞれ第１冷陰極放電管の接地側リード部２1 及び第２冷陰極放電管の接地側リード部２2 の孔径よりも若干大きく形成される。
【００１９】
図１乃至図３に示されるように、第１冷陰極放電管１1 と第２冷陰極放電管１2 とが並列配置され、第１冷陰極放電管の接地側リード部２1 と第２冷陰極放電管の接地側リード部２2 と電力供給ケーブル３の接続に導電接続板４を用いている。
【００２０】
この場合、第１冷陰極放電管の接地側リード部２1 は、導電接続板４の第１リード部接続孔４1 に、第２冷陰極放電管の接地側リード部２2 は、導電接続板４の第２リード部接続孔４2 にそれぞれ挿入され、第１冷陰極放電管の接地側リード部２1 の端部に電力供給ケーブル３の露出部が巻付けられる。第１冷陰極放電管の接地側リード部２1 と電力供給ケーブル３の露出部と導電接続板４とは、半田接続部５1 によって互いに導電接続され、第２冷陰極放電管の接地側リード部２2 と導電接続板４とは、半田接続部５2 によって互いに導電接続される。
【００２１】
ところで、第１冷陰極放電管１1 及び第２冷陰極放電管１2 とは、各接地側リード部２1 、２2 の接続に導電接続板４を用いているものであるが、第１冷陰極放電管１1 の非接地側（ホット側）リード部及び第２冷陰極放電管１2 の非接地側（ホット側）リード部についても、このような導電接続板４による接続を利用してもよく、折り曲げ可能なリード線を折り曲げることによる接続を利用してもよい。
【００２２】
この実施の形態によれば、第１冷陰極放電管の接地側リード部２1 及び第２冷陰極放電管の接地側リード部２2 を接続する場合に、第１リード部接続孔４1 及び第２リード部接続孔４2 を有する導電接続板４を用い、これらの接地側リード部２1 、２2 を対応するリード部接続孔４1 、４2 に挿入だけで、第１冷陰極放電管１1 と第２冷陰極放電管１2 の配置間隔を所定値にすることができるもので、これらの冷陰極放電管１1 、１2 の配置間隔を気にせずに半田付けを行なうことが可能になる。
【００２３】
なお、前記実施の形態においては、第１冷陰極放電管１1 及び第２冷陰極放電管１2 として、接地側リード部２1 、２2 の折り曲げができない短いリード端を有する種類のものである例を挙げて説明したが、第１冷陰極放電管１1 及び第２冷陰極放電管１2 として、接地側リード部２1 、２2 の折り曲げができる接地側リード線を有する種類のものであっても、それらの接地側リード線を対応する導電接続板４のリード部接続孔４1 、４2 に挿入すれば、前述の場合と同様に、第１冷陰極放電管１1 と第２冷陰極放電管１2 の配置間隔を所定値にして半田付けを行なうことができる。
【００２４】
また、前記実施の形態においては、冷陰極放電管として２本の第１冷陰極放電管１1 及び第２冷陰極放電管１2 を並列接続した例を挙げて説明したが、並列接続される冷陰極放電管は２本である場合に限られず、３本またはそれ以上の本数であってもよい。ただし、並列接続される冷陰極放電管の本数が増えれば、それに伴って導電接続板４にリード部接続孔の数を増やすことが必要であることは勿論である。
【００２５】
さらに、前記実施の形態においては、導電接続板４に設けたリード部接続孔４1 、４2 の各孔径がそれぞれ導電接続板４の厚さ方向に均一である例を挙げて説明したが、導電接続板４への半田の乗りを良くして半田接続部５1 、５2 の形成が容易になるように、半田接続部５1 、５2 が形成する面のリード部接続孔４1 、４2 の各孔径を若干大きくする、即ち、導電接続板４の一面のリード部接続孔４1 、４2 の周囲に凹部を設けるようにしてもよい。
【００２６】
【発明の効果】
以上のように、本発明によれば、複数本の冷陰極放電管の接地側リード部を接続する際に、複数個のリード部接続孔を有する導電接続板を用い、冷陰極放電管の種類に係りなく各接地側リード部を対応するリード部接続孔に挿入するだけで、複数本の冷陰極放電管の配置間隔が所定値になるので、いちいち各冷陰極放電管の配置間隔を気にすることなく半田付けを行なうことが可能になり、しかも、接地側リード部の接続部分の占有領域を低減してバックライトのコンパクト化を達成することができるという効果がある。
【図面の簡単な説明】
【図１】本発明に係わる液晶表示装置の一つの実施の形態の要部構成を示す斜視図である。
【図２】図１に図示された一つの実施の形態の要部構成における断面図である。
【図３】図１に図示された要部構成に用いられる導電接続板を示す斜視図である。
【図４】既知のバックライト付の液晶表示装置の構成の一例を示す断面図である。
【図５】既知の液晶表示装置において、２本の冷陰極放電管と電力供給ケーブルとの接続部分の構成の一例を示す構成図である。
【符号の説明】
１1   第１冷陰極放電管
１2   第２冷陰極放電管
２1   第１冷陰極放電管の接地側リード部
２2   第２冷陰極放電管の接地側リード部
３  電力供給ケーブル
４  導電接続板
４1   第１リード部接続孔
４2   第２リード部接続孔
５1 、５2   半田接続部
【図１】
0003668641.tif 000002
【図２】
0003668641.tif 000003
【図３】
0003668641.tif 000004
【図４】
0003668641.tif 000005
【図５】
0003668641.tif 000006